(57)【要約】【課題】前面パネルの中央部が前方に膨出するように長手方向及び高さ方向に湾曲した前面パネルの裏面に一般的な平板状の補強板を取り付ける場合、前面パネルと補強板との間に隙間が生じて、前面パネルが変形するのを十分に防止できない問題がある。【解決手段】この室内機は、ケーシングと、ケーシングの前方に配置された前面パネル７と、前面パネル７の裏面に取り付けられた第１補強板１００及び第２補強板１１０とを有している。前面パネル７は、その中央部が前方に膨出するように長手方向及び高さ方向に湾曲しており、第１補強板１００及び第２補強板１１０は、前面パネル７の裏面７Ｒに当接するように長手方向及び高さ方向に湾曲する湾曲面を有している。【選択図】図１５
2015124977.tif 000002
【特許請求の範囲】
【請求項１】
ケーシングと、
前記ケーシングの前方に配置された前面パネルと、
前記前面パネルの裏面に取り付けられた補強板とを備え、
前記前面パネルは、その中央部が前方に膨出するように長手方向及び高さ方向に湾曲しており、
前記補強板は、前記前面パネルの裏面に当接するように長手方向及び高さ方向に湾曲する湾曲面を有していることを特徴とする室内機。
【請求項２】
前記補強板は、前記前面パネルの長手方向に沿って延在しており、
前記前面パネルの裏面のうち前記補強板の湾曲面と当接する当接面の形状が、当該当接面の高さ方向中央に対して非対称であることを特徴とする請求項１に記載の室内機。
【請求項３】
前記前面パネルの長手方向に沿って延在した複数の前記補強板を有することを特徴とする請求項１または２に記載の室内機。
【請求項４】
前記複数の補強板は、前記前面パネルの高さ方向中央から略等距離に配置される２つの補強板を有することを特徴とする請求項３に記載の室内機。
【請求項５】
前記前面パネルの裏面のうち前記複数の補強板の各湾曲面と当接する複数の当接面の形状が互いに異なることを特徴とする請求項３または４に記載の室内機。
【請求項６】
前記前面パネルの裏面には、前記複数の補強板のうちの所定の補強板を、当該所定の補強板の湾曲面と当接する所定の当接面に位置決めするための位置決め部が形成されており、
前記位置決め部は、前記所定の補強板とは異なる補強板が前記所定の当接面に位置決めされないように構成されることを特徴とする請求項５に記載の室内機。
【請求項７】
前記補強板に、前記複数の補強板を識別するための目視可能な第１目印が設けられることを特徴とする請求項４−６のいずれかに記載の室内機。
【請求項８】
前記補強板の高さ方向中央部の上側または下側に、当該補強板の上下の向きを識別するための目視可能な第２目印が設けられることを特徴とする請求項１−７のいずれかに記載の室内機。
【発明の詳細な説明】
【技術分野】
【０００１】
本発明は、例えば空気調和機の室内機に関する。
【背景技術】
【０００２】
従来の室内機には、ケーシングと、ケーシングの前方に配置される前面パネルとを備えたものがある。
【先行技術文献】
【特許文献】
【０００３】
【特許文献１】特開２０１１−１４９６２０号公報
【発明の概要】
【発明が解決しようとする課題】
【０００４】
上記の室内機では、樹脂製の前面パネルが使用されるのが一般的であるため、前面パネルの剛性が低く、前面パネルが変形しやすい問題がある。そのため、上記の室内機では、前面パネルの裏面に補強板を取り付けて、前面パネルの剛性を向上させることが考えられる。
【０００５】
ところで、室内機では、意匠性の向上等の観点から、前面パネルの中央部が前方に膨出するように前面パネルを長手方向及び高さ方向に湾曲させることが考えられるが、この前面パネルの裏面に補強板を取り付ける場合、一般的な平板状の補強板では前面パネルと補強板との間に隙間が生じて、前面パネルが変形するのを十分に防止できない問題がある。
【０００６】
そこで、本発明の目的は、前面パネルの中央部が前方に膨出するように長手方向及び高さ方向に湾曲した前面パネルにおいて、前面パネルが変形するのを防止できる室内機を提供することである。
【課題を解決するための手段】
【０００７】
第１の発明にかかる室内機は、ケーシングと、前記ケーシングの前方に配置された前面パネルと、前記前面パネルの裏面に取り付けられた補強板とを備え、前記前面パネルは、その中央部が前方に膨出するように長手方向及び高さ方向に湾曲しており、前記補強板は、前記前面パネルの裏面に当接するように長手方向及び高さ方向に湾曲する湾曲面を有していることを特徴とする。
【０００８】
この室内機では、前面パネルの裏面に取り付けられた補強板が、前面パネルの裏面に当接するように長手方向及び高さ方向に湾曲する湾曲面を有しているので、前面パネルの裏面と補強板との間に隙間が生じるのを防止できる。したがって、前面パネルが変形するのを防止できる。
【０００９】
第２の発明にかかる室内機は、第１の発明にかかる室内機において、前記補強板は、前記前面パネルの長手方向に沿って延在しており、前記前面パネルは、その裏面のうち前記補強板の湾曲面と当接する当接面の形状が、当該当接面の高さ方向中央に対して非対称であることを特徴とする。
【００１０】
この室内機では、前面パネルの裏面のうち補強板の湾曲面と当接する当接面の形状が当該当接面の高さ方向中央に対して非対称である場合に、補強板が前面パネルの裏面に当接するように長手方向及び高さ方向に湾曲する湾曲面を有しているので、補強板の上下の向きが正常の向きと逆の場合に補強板が前面パネルに取り付けられない。したがって、補強板の上下の向きが正常の向きと逆の状態で補強板が前面パネルに取り付けられて、前面パネルの裏面と補強板の湾曲面との間に隙間が生じてしまうのを防止できる。
【００１１】
第３の発明にかかる室内機は、第１または第２の発明にかかる室内機において、前記前面パネルの長手方向に沿って延在した複数の前記補強板を有することを特徴とする。
【００１２】
この室内機では、前面パネルの長手方向に沿って延在した複数の補強板を有するので、前面パネルの変形を防止しやすい。
【００１３】
第４の発明にかかる室内機は、第３の発明にかかる室内機において、前記複数の補強板は、前記前面パネルの高さ方向中央から略等距離に配置される２つの補強板を有することを特徴とする。
【００１４】
この室内機では、複数の補強板が、前面パネルの高さ方向中央から略等距離に配置される２つの補強板を有するので、効率よく前面パネルの変形を防止できる。
【００１５】
第５の発明にかかる室内機は、第３または第４の発明にかかる室内機において、前記前面パネルは、その裏面のうち前記複数の補強板の各湾曲面と当接する複数の当接面の形状が互いに異なることを特徴とする。
【００１６】
この室内機では、前面パネルの裏面のうち複数の補強板の各湾曲面と当接する複数の当接面の形状が互いに異なるので、所定の当接面に取り付けられる補強板とは異なる補強板が当該所定の当接面に取り付けられない。したがって、所定の当接面に取り付けられる補強板とは異なる補強板が当該所定の当接面に取り付けられて、前面パネルの裏面と補強板の湾曲面との間に隙間が生じるのを防止できる。
【００１７】
第６の発明にかかる室内機は、第５の発明にかかる室内機において、前記前面パネルの裏面には、前記複数の補強板のうちの所定の補強板を、当該所定の補強板の湾曲面と当接する所定の当接面に位置決めするための位置決め部が形成されており、前記位置決め部は、前記所定の補強板とは異なる補強板が前記所定の当接面に位置決めされないように構成されることを特徴とする。
【００１８】
この室内機では、所定の当接面に取り付けられる補強板とは異なる補強板が当該所定の当接面に位置決めされないので、補強板の誤取り付けを未然に防止できる。
【００１９】
第７の発明にかかる室内機は、第４−第６のいずれかの発明にかかる室内機において、前記補強板に、前記複数の補強板を識別するための目視可能な第１目印が設けられることを特徴とする。
【００２０】
この室内機では、複数の補強板の種類を容易に識別できるので、補強板の誤取り付けを未然に防止できる。
【００２１】
第８の発明にかかる室内機は、第１−第７のいずれかの発明にかかる室内機において、前記補強板の高さ方向中央部の上側または下側に、当該補強板の上下の向きを識別するための目視可能な第２目印が設けられることを特徴とする。
【００２２】
この室内機では、補強板の上下の向きを容易に識別できるので、補強板の誤取り付けを未然に防止できる。
【発明の効果】
【００２３】
以上の説明に述べたように、本発明によれば、以下の効果が得られる。
【００２４】
第１の発明では、前面パネルの裏面に取り付けられた補強板が、前面パネルの裏面に当接するように長手方向及び高さ方向に湾曲する湾曲面を有しているので、前面パネルの裏面と補強板との間に隙間が生じるのを防止できる。したがって、前面パネルが変形するのを防止できる。
【００２５】
第２の発明では、前面パネルの裏面のうち補強板の湾曲面と当接する当接面の形状が当該当接面の高さ方向中央に対して非対称である場合に、補強板が前面パネルの裏面に当接するように長手方向及び高さ方向に湾曲する湾曲面を有しているので、補強板の上下の向きが正常の向きと逆の場合に補強板が前面パネルに取り付けられない。したがって、補強板の上下の向きが正常の向きと逆の状態で補強板が前面パネルに取り付けられて、前面パネルの裏面と補強板の湾曲面との間に隙間が生じてしまうのを防止できる。
【００２６】
第３の発明では、前面パネルの長手方向に沿って延在した複数の補強板を有するので、前面パネルの変形を防止しやすい。
【００２７】
第４の発明では、複数の補強板が、前面パネルの高さ方向中央から略等距離に配置される２つの補強板を有するので、効率よく前面パネルの変形を防止できる。
【００２８】
第５の発明では、前面パネルの裏面のうち複数の補強板の各湾曲面と当接する複数の当接面の形状が互いに異なるので、所定の当接面に取り付けられる補強板とは異なる補強板が当該所定の当接面に取り付けられない。したがって、所定の当接面に取り付けられる補強板とは異なる補強板が当該所定の当接面に取り付けられて、前面パネルの裏面と補強板の湾曲面との間に隙間が生じるのを防止できる。
【００２９】
第６の発明では、所定の当接面に取り付けられる補強板とは異なる補強板が当該所定の当接面に位置決めされないので、補強板の誤取り付けを未然に防止できる。
【００３０】
第７の発明では、複数の補強板の種類を容易に識別できるので、補強板の誤取り付けを未然に防止できる。
【００３１】
第８の発明では、補強板の上下の向きを容易に識別できるので、補強板の誤取り付けを未然に防止できる。
【図面の簡単な説明】
【００３２】
【図１】（ａ）は、本発明の実施形態にかかる室内機の停止時の斜視図であり、（ｂ）は、室内機の運転時の斜視図であり、（ｃ）は、室内機から前面パネル及び吹出パネルを取り外したときの斜視図である。
【図２】（ａ）は、室内機の停止時の正面図であり、（ｂ）は、室内機の運転時の正面図である。
【図３】（ａ）は、室内機の停止時の右側面図であり、（ｂ）は、室内機の運転時の右側面図である。
【図４】室内機から前面パネル及び吹出パネルを取り外したときの正面図である。
【図５】室内機の縦断面を示す概略図である。
【図６】室内機の制御部を示すブロック図である。
【図７】（ａ）は、室内機の停止時の上面図であり、（ｂ）は、室内機の運転時の上面図である。
【図８】室内機の停止時の下面図である。
【図９】（ａ）は、天面部を示す概略図であり、（ｂ）は、風向変更板単体の正面図である。
【図１０】天面部、クロスフローファン、風向変更板の位置関係を説明する説明図である。
【図１１】室内機から前面パネル及び吹出パネルを取り外したときの右側面図である。
【図１２】（ａ）は、図４のＡ部拡大図であり、（ｂ）は、（ａ）からねじを取り外したときの図であり、（ｃ）は、図４に示すXII(c)-XII(c)線断面図である。
【図１３】（ａ）は、前面パネル及び吹出パネルの正面図、（ｂ）は、XIII(b)-XIII(b)線断面図であり、（ｃ）は、XIII(c)-XIII(c)線断面図であり、（ｄ）は、XIII(d)-XIII(d)線断面図である。
【図１４】図２に示すXIV-XIV線断面図である。
【図１５】前面パネル及び吹出パネルを背面から見た斜視図である。
【図１６】前面パネル及び吹出パネルの背面図である。
【図１７】前面パネル及び吹出パネルに取り付けられる各補強板の正面図である。
【図１８】前面パネル及び吹出パネルから補強板を取り外したときの前面パネル及び吹出パネルの背面図である。
【図１９】（ａ）は、図１８に示すXIX(a)-XIX(a)線断面図であり、（ｂ）は、図１８に示すXIX(b)-XIX(b)線断面図であり、（ｃ）は、図１８に示すXIX(c)-XIX(c)線断面図である。
【図２０】図１５に示す前面パネルのＡ部−Ｃ部拡大図である。
【図２１】図２に示すXXI-XXI線断面図であって、駆動機構の構成を示す図である。
【図２２】前面パネル及び吹出パネルの移動の様子を説明した図であり、（ａ）は、前面パネルの移動前の様子を示し、（ｂ）は、前面パネルが移動した後の様子を示し、（ｃ）は、前面パネル及び吹出パネルが移動した後の様子を示す。
【発明を実施するための形態】
【００３３】
以下、本発明の実施形態に係る空気調和機の室内機について説明する。  
【００３４】
［空気調和機の全体構成］
本発明の実施形態にかかる空気調和機は、図１に示す室内機１と、図示しない室外機とで構成されている。室内機１は、全体として一方向に細長い形状をしており、その長手方向が水平となるように室内の壁面に据え付けられている。なお、以下の説明において、室内機１が取り付けられる壁面から突出する方向を「前方」と称し、その反対の方向を「後方」と称する。また、図１に示す左右方向を単に「左右方向」、図１に示す上下方向を単に「上下方向」と称する。
【００３５】
［室内機の構成］
図５に示すように、室内機１は、主として、本体部４、前面パネル７、吹出パネル８、風向変更板５０などを備えている。
【００３６】
［本体部］
本体部４は、図４及び図５に示すように、底フレーム４２及び前面グリル６を含むケーシング５と、ケーシング５の内部に収容された室内熱交換器２０、クロスフローファン２１（以下、単にファン２１とも称する）、ファンモータ２２（図６参照）、電装品箱４０を有する。
【００３７】
室内熱交換器２０及びファン２１は、図５に示すように、底フレーム４２に取り付けられている。室内熱交換器２０及びファン２１は、断面視においてファン２１が室内機１の略中央に配置され、逆Ｖ字型の形状を有する室内熱交換器２０がファン２１の上半分を囲むように配置されている。
【００３８】
電装品箱４０は、図４に示すように、室内熱交換器２０及びファン２１の正面視における右側方に配置されている。電装品箱４０は、内部に制御部６０（図６参照）を収容しており、室内機１の冷暖房運転等に必要な各構成部品の制御を行う。この制御部６０は、図６に示すように、ファン２１を駆動するファンモータ２２、後述する駆動機構９の駆動機４１を駆動する駆動モータ４３、風向変更板５０を駆動するフラップモータ５１、後述する補助風向変更板５２を駆動する補助フラップモータ５３を接続しており、ファン２１、駆動機４１、風向変更板５０及び補助風向変更板５２の制御を行う。
【００３９】
底フレーム４２は、樹脂材料で成形されており、ファン２１の下方、後方、側方を覆う形状を有している。この底フレーム４２は、室内熱交換器２０及びファン２１を固定し且つ室内機１の背面１ｂを構成する図示しない本体ケーシングと、本体ケーシングの左右両端に取り付けられ、前面グリル６とともに室内機１の側面を構成する化粧板４７（図３参照）とを有する。本体ケーシングの背面には、室内機１を室内の壁面に固定するための据付板が取り付けられている。
【００４０】
底フレーム４２は、その下部において、前面グリル６とともに吹出口２７を構成する。この吹出口２７は、ファン２１からの風を室内へと吹き出す開口である。この吹出口２７は、室内機１の下部近傍であって、室内機１の前面側に設けられている。この吹出口２７は、図２（ｂ）に示すように、正面視において水平方向に長い形状を有する。
【００４１】
［前面グリル］
前面グリル６は、前方から底フレーム４２に取り付けられ、本体部４の前方、側方、上方、下方を覆う。前面グリル６は、樹脂材料で成形されており、背面全体が開口した薄型の略直方体形状を有する。この前面グリル６は、図４に示すように、天面部３０と、前面３１（ケーシングの前面）と、下面３２とを有する。
【００４２】
（天面部）
天面部３０は、図９（ａ）に示すように、その前端３０Ｆの中央部３０Ｍが前方に膨出するように湾曲している。詳しくは、天面部３０の前端３０Ｆは、前端３０Ｆの中央部３０Ｍから両端３０ａ、３０ｂに向かうにつれて背面１ｂ側に傾斜しているとともに、平面視において天面部３０の前端３０Ｆに接する接線の向きが連続的に変化するように湾曲している。また、天面部３０の側端３０Ｌ、３０Ｒは、それぞれ両端３０ａ、３０ｂから背面１ｂに向かうにつれて室内機１の長手方向（左右方向）中心側に傾斜（湾曲）している。
【００４３】
この天面部３０の略全面には、室内空気の第１吸込口２３（吸込口）が配置される。この第１吸込口２３の略全面には、図７（ａ）に示すように、長手方向及び前後方向に延びた複数の桟３０ｃが配置されている。この第１吸込口２３の下方（室内機１の内部側）には、長手方向中央部に形成された開口部２４と、開口部２４の長手方向外側に配置された非開口部２５とを有する。開口部２４においては、桟３０ｃと桟３０ｃとの間が開口しており、非開口部２５においては、桟３０ｃと桟３０ｃとの間に桟３０ｃと桟３０ｃとの間を閉塞する板材３０ｄが配置されている。この板材３０ｄは、天面部３０の外縁より下方（すなわち、第１吸込口２３より室内機１の内部側）に配置される。したがって、第１吸込口２３から吸い込まれる室内空気は、直接開口部２４からファン２１側に取り込まれる場合と、第１吸込口２３から吸い込まれたあとで、いったん非開口部２５の板材３０ｄの上を水平方向に流れたのち、開口部２４からファン２１側に取り込まれる場合とがある。
【００４４】
図９（ａ）に示すように、第１吸込口２３は、長手方向について天面部３０の前端３０Ｆの中央部３０Ｍに対応した吸込中央部２３Ｍの幅Ｗ１が、第１吸込口２３の長手方向両端の幅、すなわち、本実施形態では、天面部３０の左端３０ａ付近の幅、及び天面部３０の右端３０ｂ付近の幅よりも広く構成される。本実施形態では、天面部３０の左端３０ａ付近の幅、及び天面部３０の右端３０ｂ付近の幅は、僅か（略ゼロ）である。この第１吸込口２３の幅は、吸込中央部２３Ｍにおいて最大である。また、第１吸込口２３の幅は、吸込中央部２３Ｍから長手方向両端３０ａ、３０ｂに近づくにつれて狭くなる。なお、図９（ａ）では、発明の理解を容易とするため、長手方向及び前後方向に延びた複数の桟３０ｃを省略して図示している。
【００４５】
図９（ａ）に示すように、開口部２４は、その前端２４Ｆが、天面部３０の前端３０Ｆに沿っている。そして、開口部２４は、長手方向について天面部３０の前端３０Ｆの中央部３０Ｍに対応した開口中央部２４Ｍの幅が、開口部２４の両端の幅（開口部の左端２４Ｌの幅、開口部２４の右端２４Ｒの幅）より広く構成される。なお、図１０に示すように、天面部３０の下方にある開口部２４の長手方向中央部は、長手方向について天面部３０の前端３０Ｆの中央部３０Ｍに対応した吸込中央部２３Ｍに対して僅かに左にずれており、ファン２１の長手方向中央部及び風向変更板５０の長手方向中央部と一致する。また、開口部２４の両端２４Ｌ、２４Ｒは、ファン２１の両端及び風向変更板５０の両端５０Ｌ、５０Ｒと略一致する。
【００４６】
（前面）
前面３１（ケーシングの前面）は、図４に示すように、正面視において左右方向に長い略長方形の形状を有する。この前面３１は、図１（ｃ）から容易に理解されるように、前面グリル６の前面３１の長手方向両端近傍（ケーシングの前面の長手方向両端近傍）に配置される近傍面３３、３３が、長手方向中央部に近づくにつれて奥行寸法が大きくなるように湾曲している。また、この近傍面３３、３３は、下方に向かうにつれて背面１ｂ側に傾斜（湾曲）している。この前面３１は、上記の近傍面３３、３３の他、天面部３０の前端３０Ｆ、室内空気を取り入れる開口３４、吹出口２７周囲に配置される吹出口周辺部３５などを含む。
【００４７】
開口３４は、図４に示すように、前面３１の上下方向中央付近から上部に渡って設けられ、室内熱交換器２０の前面側と対向する。この開口３４は、左右方向に長い矩形形状を有し、図１１に示すように、鉛直方向に延びている。したがって、開口３４は、同一平面上にある。この開口３４は、開口部２４の前端２４Ｆ側から取り入れられた室内空気や、後述する第２吸込口２６から取り入れられた室内空気をファン２１側に取り込む。この開口３４の前方には、開口３４の略全域を覆うフィルタ３６（図５参照）が取り付けられている。このフィルタ３６は、図５に示すように、室内熱交換器２０の前方側から上方側まで延在しており、第１吸込口２３及び第２吸込口２６から取り入れられた室内空気中の塵埃を捕集する。
【００４８】
吹出口周辺部３５は、図１（ｃ）に示すように、その長手方向中央部が前方に膨出するように湾曲している。詳しくは、吹出口周辺部３５の両端から長手方向中央部に近づくにつれて奥行寸法が大きくなるように湾曲している。
【００４９】
図１（ａ）などから理解されるように、室内機１の運転停止時には、前面パネル７は、天面部３０の前端３０Ｆや近傍面３３、３３の一部（上側）と当接又は近接している。したがって、前面３１の上側は、前面パネル７によって閉じられた状態となる。また、吹出パネル８は、吹出口周辺部３５や近傍面３３、３３の一部（下側）と当接又は近接している。したがって、前面３１の下側は、吹出パネル８によって閉じられた状態となる。一方、室内機１の運転時には、図１（ｂ）に示すように、前面パネル７が略水平方向前方に移動することで、前面パネル７と天面部３０の前端３０Ｆや近傍面３３、３３との間に隙間が生じ、室内空気を吸い込む第２吸込口２６が形成される。また、吹出パネル８が前面パネル７と前面グリル６との間に移動することで、吹出口２７が開かれる。
【００５０】
図４に示すように、前面３１の長手方向両端近傍に配置される近傍面３３、３３の上端側には、近傍面３３、３３（前面グリル６の前面３１）より背面側に窪んだ２つの凹部９１、９１が形成されている。この２つの凹部９１、９１は左右対称である。図１２に示すように、この凹部９１には、前面グリル６を底フレーム４２に固定するためのねじＳが螺合されるねじ固定部９２（ねじ孔）が形成されている。また、凹部９１には、ねじ固定部９２の左右方向外側において近傍面３３、３３（前面グリルの前面）より前方に突出する突出部９３が配置されている。したがって、この室内機１では、室内機１の側方や斜め前方からねじＳが見えにくいようにされている。
【００５１】
前面３１の下方及び下面３２の前方には、底フレーム４２とともに吹出口２７を形成するための開口が形成されている。この吹出口２７の前面は、室内機１の運転停止時において吹出パネル８によって閉じられる。また、吹出口２７の下面は、図８に示すように、室内機１の運転停止時において、底フレーム４２に取り付けられた風向変更板５０によって閉じられる。
【００５２】
図２（ｂ）に示すように、吹出口２７には、風向変更板５０と、風向変更板５０の上方に配置された補助風向変更板５２とが配置される。風向変更板５０および補助風向変更板５２は、左右方向に長い形状を有する板状の形状を有しており、風向変更板５０および補助風向変更板５２は、それぞれ異なる水平方向に沿った回転軸の周りを回動可能に構成される。したがって、風向変更板５０は、補助風向変更板５２とともに、上下方向において吹出口２７から吹き出される空気の風向を変更する。風向変更板５０には、フラップモータ５１が接続されており、補助風向変更板５２には、補助フラップモータ５３が接続されている。風向変更板５０および補助風向変更板５２は、フラップモータ５１及び補助フラップモータ５３の駆動により、それぞれ異なる水平方向に沿った回転軸の周りを回動可能である。
【００５３】
風向変更板５０は、図９（ｂ）及び図１０に示すように、その前端５０Ｆの中央付近が前方に膨出するように湾曲している。詳しくは、風向変更板５０の前端５０Ｆは、天面部３０の前端３０Ｆの中央部３０Ｍに対応した吹出中央部５０Ｍ（図１（ｃ）、図２（ｂ）も併せて参照）から両端５０ａ、５０ｂに向かうにつれて背面１ｂ側に傾斜しているとともに、平面視において風向変更板５０の前端５０Ｆに接する接線の向きが連続的に変化するように湾曲している。また、風向変更板５０の側端５０Ｌ、５０Ｒは、それぞれ前後方向に沿って延在している。この風向変更板５０は、天面部３０の前端３０Ｆの中央部３０Ｍに対応した吹出中央部５０Ｍの幅Ｗ２が、長手方向両端の幅（左端５０Ｌの幅、右端５０Ｒの幅）より広く構成される。この風向変更板５０の幅は、吹出中央部５０Ｍにおいて最大である。また、風向変更板５０の幅は、吹出中央部５０Ｍから長手方向両端５０ａ、５０ｂに近づくにつれて狭くなる。この風向変更板５０は、図８に示すように、室内機１の運転停止時において、吹出パネル８及び前面グリル６の下面３２により画定される開口に沿った形状をしている。そして、風向変更板５０は、運転停止指示があった時に、水平面に平行になるように移動することにより、前面グリル６の下面３２とともに水平面に平行な室内機１の底面を構成する。なお、図１０に示すように、風向変更板５０の長手方向中央部は、長手方向について天面部３０の前端３０Ｆの中央部３０Ｍに対応した吹出中央部５０Ｍに対して僅かに左にずれており、ファン２１の長手方向中央部及び開口部２４の長手方向中央部と一致する。風向変更板５０の長手方向中央部の幅Ｗ３は、長手方向両端の幅（左端５０Ｌの幅、右端５０Ｒの幅）より広く構成される。
【００５４】
一方、補助風向変更板５２は、図２（ｂ）に示すように、その幅が長手方向に一定である。このように、補助風向変更板５２の幅が長手方向に一定であるので、風向変更板５０および補助風向変更板５２がそれぞれ異なる水平方向に沿った回転軸の周りを回動する際に、風向変更板５０および補助風向変更板５２が互いに干渉することがないようにされている。
【００５５】
［前面パネル及び吹出パネル］
前面パネル７及び吹出パネル８は、図１（ａ）に示すように、室内機１の運転停止時において、前面グリル６の前面３１の略全体を覆う。
【００５６】
前面パネル７は、樹脂材料で成形されており、前面グリル６の前面３１の上方を覆うように設けられる。前面パネル７は、後述する開閉機構６１によって前後方向に移動可能に左右両端近傍を支持されている。この前面パネル７は、前面グリル６の前面３１から離れるように移動することによって第２吸込口２６を開き、前面グリル６の前面３１に近接するように移動することによって第２吸込口２６を閉じる。
【００５７】
吹出パネル８は、樹脂材料で成形されており、前面グリル６の前面３１の下方を覆うように設けられる。吹出パネル８は、後述する開閉機構６１によって上下方向に移動可能に左右両端近傍を支持されている。この吹出パネル８は、前面パネル７が前方へ移動した状態において、前面パネル７と前面グリル６の間の隙間に移動（上方に移動）することによって吹出口２７を開き、下方に移動することによって吹出口２７を閉じる。
【００５８】
（パネル形状）
前面パネル７及び吹出パネル８は、３次元形状を有する３次元パネルであり、それぞれの中央部（長手方向中央部且つ高さ方向中央部）が前方に膨出するように長手方向（左右方向）及び高さ方向（上下方向）に湾曲している。この前面パネル７の厚み及び吹出パネル８の厚みは、長手方向及び高さ方向において略一定であり、前面パネル７の厚みと吹出パネル８の厚みは略同じである。なお、前面パネル７及び吹出パネル８には、その裏面の外周略全周に、裏面から後方に突出した補強リブ７ａ、８ａ（図１３（ｄ）参照）が設けられている。
【００５９】
前面パネル７は、平面視において、長手方向中央部が前方に膨出するように湾曲している。図１３（ｂ）に示すように、この前面パネル７の前面７Ｆは、その中央部７Ｍから長手方向両端に向かうにつれて背面１ｂ側に傾斜している。また、前面パネル７の前面７Ｆは、平面視において前面７Ｆに接する接線の向きが連続的に変化している。したがって、前面パネル７は、長手方向全域において湾曲している。また、この前面パネル７は、長手方向中央を通る中央線ＨＬ１に対して左右対称である。
【００６０】
前面パネル７は、高さ方向（上下方向）において湾曲しているが、その曲率半径（上下方向の曲率半径）は一定ではなく変化している。この前面パネル７は、例えば上下方向の曲率半径が互いに異なる複数の曲面で構成されている。この前面パネル７は、図１３（ｄ）に示すように、前面７Ｆの上端７Ｆａが最も前方に位置しており、前面７Ｆは、下端１ａに向かうにつれて背面１ｂ側に傾斜している。また、前面パネル７は上下方向において厚みが一定であるので、前面パネル７の裏面７Ｒも下端１ａに向かうにつれて背面１ｂ側に傾斜している。この前面パネル７は、高さ方向中央部が前方に膨出するように湾曲している。ここでいう「高さ方向中央部が前方に膨出する」とは、前面パネル７の前面７Ｆの高さ方向中央部が、上端７Ｆａと下端７Ｆｂとを結ぶ線に対して前方に膨出している（凸形状である）ことを指す。したがって、「高さ方向中央部が前方に膨出する」とは、本実施形態のように前面７Ｆの高さ方向中央部が、前面７Ｆの上端７Ｆａより後方にある場合を含む。また、前面パネル７の前面７Ｆは、断面視において前面７Ｆに接する接線の向きが連続的に変化している。すなわち、前面パネル７は、高さ方向全域において湾曲している。
【００６１】
この前面パネル７のうち前面グリル６の天面部３０の前端３０Ｆに対向する部分は、前端３０Ｆに沿って湾曲している。また、この前面パネル７のうち前面グリル６の近傍面３３、３３に対向する部分は、長手方向及び高さ方向において近傍面３３、３３に沿って湾曲している。したがって、室内機１の運転停止時においては、前面パネル７と前端３０Ｆ及び近傍面３３、３３との間には、隙間がほとんど生じない。
【００６２】
吹出パネル８は、平面視において、長手方向中央部が前方に膨出するように湾曲している。図１３（ｃ）に示すように、この吹出パネル８の前面８Ｆは、その中央部８Ｍから長手方向両端に向かうにつれて背面１ｂ側に傾斜している。また、吹出パネル８の前面８Ｆは、平面視において前面８Ｆに接する接線の向きが連続的に変化している。したがって、吹出パネル８は、長手方向全域において湾曲している。また、この吹出パネル８は、長手方向中央を通る中央線ＨＬ２に対して左右対称である。
【００６３】
吹出パネル８は、高さ方向（上下方向）において湾曲しているが、その曲率半径（上下方向の曲率半径）は一定ではなく変化している。この吹出パネル８は、例えば上下方向の曲率半径が互いに異なる複数の曲面で構成されている。この吹出パネル８は、図１３（ｄ）に示すように、前面８Ｆの上端８Ｆａが最も前方に位置しており、前面８Ｆは、下端１ａに向かうにつれて背面１ｂ側に傾斜している。また、吹出パネル８は上下方向において厚みが一定であるので、吹出パネル８の裏面８Ｒも下端１ａに向かうにつれて背面１ｂ側に傾斜している。吹出パネル８は、高さ方向中央部が前方に膨出するように湾曲している。ここでいう「高さ方向中央部が前方に膨出する」とは、吹出パネル８の前面８Ｆの高さ方向中央部が、上端８Ｆａと下端８Ｆｂとを結ぶ線に対して前方に膨出している（凸形状である）ことを指す。したがって、「高さ方向中央部が前方に膨出する」とは、本実施形態のように前面８Ｆの高さ方向中央部が、前面８Ｆの上端８Ｆａより後方にある場合を含む。また、吹出パネル８の前面８Ｆは、断面視において前面８Ｆに接する接線の向きが連続的に変化している。すなわち、吹出パネル８は、高さ方向全域において湾曲している。
【００６４】
この吹出パネル８のうち前面グリル６の近傍面３３、３３に対向する部分、及び前面グリル６の吹出口周辺部３５に対向する部分は、長手方向及び高さ方向において近傍面３３、３３及び吹出口周辺部３５に沿って湾曲している。したがって、室内機１の運転停止時においては、吹出パネル８と近傍面３３、３３及び吹出口周辺部３５との間には、隙間がほとんど生じない。
【００６５】
（延在部分）
前面パネル７は、図１（ａ）及び図７（ａ）に示すように、前面グリル６の前面３１の両端３１Ｌ、３１Ｒ（図４も併せて参照）より外側に向かって延在する延在部分７１、７１を有している。また、吹出パネル８も、図１（ａ）及び図８に示すように、前面グリル６の前面３１の両端３１Ｌ、３１Ｒより外側に向かって延在する延在部分８１、８１を有している。延在部分７１、７１及び延在部分８１、８１は、図７（ａ）及び図８に示すように、前面グリル６の前面３１の両端３１Ｌ、３１Ｒを通る前後方向に沿った線Ｌ１より長手方向外側に延在した部分を指す。延在部分７１、７１及び延在部分８１、８１は、前面パネル７の長手方向中央を通る中央線に対して左右対称である。
【００６６】
図７（ａ）及び図８に示すように、前面パネル７の延在部分７１、７１、及び吹出パネル８の延在部分８１、８１は、前面グリル６の前面３１の両端３１Ｌ、３１Ｒからそれぞれ背面１ｂ側に向かって延在している。また、延在部分７１、７１の先端部７２、７２、及び延在部分８１、８１の先端部８２、８２は、前方に屈曲している。なお、本発明において、「屈曲」とは「湾曲」を含む。
【００６７】
ここで、図１４を参照して、「延在部分７１が前面グリル６の前面３１の両端３１Ｌ、３１Ｒから背面１ｂ側に向かって延在している」の定義、及び「延在部分７１の先端部７２が、前方に屈曲している」の定義について具体的に説明する。なお、「延在部分８１が前面グリル６の前面３１の両端３１Ｌ、３１Ｒから背面１ｂ側に向かって延在している」の定義、及び「延在部分８１の先端部８２が、前方に屈曲している」の定義は、上記と同様であるためその説明を割愛する。
【００６８】
「延在部分７１が前面グリル６の前面３１の両端３１Ｌ、３１Ｒから背面１ｂ側に向かって延在している」とは、図１４に示すように、上述の線Ｌ１と前面パネル７の前面７Ｆとの交点７Ｆｃを通る水平方向（左右方向）の線Ｌ３より、延在部分７１の全体が背面１ｂ側にあることを意味する。また、「延在部分７１の先端部７２が、前方に屈曲している」とは、平面視において、延在部分７１の先端部７２を除く部分の前面パネル７の中心線を左右方向外側に延在させた仮想線Ｌ４より、先端部７２の中心線の少なくとも一部が前方側にあることを意味する。
【００６９】
（補強板）
図１５及び図１６に示すように、前面パネル７及び吹出パネル８の裏面には、薄板状の３つの補強板が取り付けられている。
【００７０】
第１補強板１００及び第２補強板１１０は、前面パネル７の裏面７Ｒに取り付けられており、それぞれ前面パネル７の長手方向に沿って延在している。図１６に示すように、第１補強板１００は、前面パネル７の高さ方向中央である中央線ＨＬ３より上方に配置され、第２補強板１１０は、中央線ＨＬ３より下方に配置される。第１補強板１００と第２補強板１１０の長さ（長手方向長さ）と、第１補強板１００と第２補強板１１０の幅（高さ方向長さ）は、それぞれ略同じである。図１６に示すように、第１補強板１００及び第２補強板１１０は、前面パネル７の中央線ＨＬ３から略等距離に配置される。すなわち、第１補強板１００の中央線ＨＬ４と前面パネル７の中央線ＨＬ３との距離Ｄ１と、第２補強板１１０の中央線ＨＬ５と前面パネル７の中央線ＨＬ３との距離Ｄ２とが略同じである。一方、第３補強板１２０は、吹出パネル８の裏面８Ｒに取り付けられており、吹出パネル８の長手方向に沿って延在している。第１補強板１００と第３補強板１２０の長さ（長手方向長さ）と、第１補強板１００と第３補強板１２０の幅（高さ方向長さ）は、それぞれ略同じである。
【００７１】
図１７に示すように、第１補強板１００及び第２補強板１１０は、前面パネル７の裏面７Ｒに取り付けられた状態において、それぞれ前面パネル７の裏面７Ｒに当接するように長手方向（左右方向）及び高さ方向（上下方向）に湾曲する第１湾曲面１０１及び第２湾曲面１１１を有している。また、第３補強板１２０は、吹出パネル８の裏面８Ｒに取り付けられた状態において、吹出パネル８の裏面８Ｒに当接するように長手方向（左右方向）及び高さ方向（上下方向）に湾曲する第３湾曲面１２１を有している。
【００７２】
したがって、第１補強板１００及び第２補強板１１０が、前面パネル７の裏面７Ｒに取り付けられた状態において、第１湾曲面１０１及び第２湾曲面１１１の形状と、前面パネル７の裏面７Ｒのうち第１湾曲面１０１及び第２湾曲面１１１と当接する第１当接面１０及び第２当接面１１の形状とが略一致する。また、第３補強板１２０が、吹出パネル８の裏面８Ｒに取り付けられた状態において、第３湾曲面１２１の形状と吹出パネル８の裏面８Ｒのうち第３湾曲面１２１と当接する第３当接面１２の形状とが略一致する。
【００７３】
第１補強板１００の第１湾曲面１０１は、長手方向に沿って延在する上湾曲面１０１Ｕ及び下湾曲面１０１Ｌを有している。上湾曲面１０１Ｕ及び下湾曲面１０１Ｌは、それぞれ、第１補強板１００の長手方向略全幅に設けられ、その略全域が前面パネル７の裏面７Ｒに当接している。また、上湾曲面１０１Ｕ及び下湾曲面１０１Ｌの間には、第１補強板１００の長手方向略全幅に設けられ、前面パネル７の裏面７Ｒに当接しない凹部１０２が形成されている。
【００７４】
第２補強板１１０の第２湾曲面１１１は、長手方向に沿って延在する上湾曲面１１１Ｕ及び下湾曲面１１１Ｌを有している。上湾曲面１１１Ｕ及び下湾曲面１１１Ｌは、それぞれ、第２補強板１１０の長手方向略全幅に設けられ、その略全域が前面パネル７の裏面７Ｒに当接している。また、上湾曲面１１１Ｕ及び下湾曲面１１１Ｌの間には、第２補強板１１０の長手方向略全幅に設けられ、前面パネル７の裏面７Ｒに当接しない凹部１１２が形成されている。
【００７５】
第３補強板１２０の第３湾曲面１２１は、長手方向に沿って延在する上湾曲面１２１Ｕ及び下湾曲面１２１Ｌを有している。上湾曲面１２１Ｕ及び下湾曲面１２１Ｌは、それぞれ、第３補強板１２０の長手方向略全幅に設けられ、その略全域が吹出パネル８の裏面８Ｒに当接している。また、上湾曲面１２１Ｕ及び下湾曲面１２１Ｌの間には、第３補強板１２０の長手方向略全幅に設けられ、吹出パネル８の裏面８Ｒに当接しない凹部１２２が形成されている。
【００７６】
この第１補強板１００−第３補強板１２０は、それぞれ前面パネル７又は吹出パネル８から取り外された状態において、一般的な平板状の補強板とは異なり、少なくとも高さ方向（補強板の幅方向）において湾曲するように成形されている。
【００７７】
上述のとおり、前面パネル７は、高さ方向（上下方向）において湾曲しているが、その曲率半径は一定ではなく変化しているので、図１８及び図１９に示すように、第１当接面１０−第３当接面１２は、それぞれ、第１当接面１０−第３当接面１２の高さ方向中央である中央線ＨＬ６−中央線ＨＬ８の上側と下側とで湾曲度合が異なる。したがって、第１当接面１０−第３当接面１２は、それぞれ、第１当接面１０−第３当接面１２の中央線ＨＬ６−中央線ＨＬ８に対して非対称である。そのため、例えば第１補強板１００を例にとると、第１補強板１００の上下の向きを正常の向きと逆にして第１補強板１００を前面パネル７に取り付けようとしても、第１補強板１００の第１湾曲面１０１の形状と前面パネル７の第１当接面１０の形状とが一致しないので、第１補強板１００を前面パネル７の第１当接面１０に取り付けることができないようになっている。
【００７８】
また、前面パネル７は、高さ方向（上下方向）において湾曲しているが、その曲率半径は一定ではなく変化しているので、第１当接面１０−第３当接面１２の形状は、互いに異なっている。したがって、所定の当接面に取り付けられる補強板とは異なる補強板を当該所定の当接面に取り付けようとしても、当該所定の当接面の形状と補強板の湾曲面の形状が一致しないので、所定の当接面に取り付けられる補強板とは異なる補強板を当該所定の当接面に取り付けできないようになっている。
【００７９】
（位置決め部）
図１８に示すように、前面パネル７及び吹出パネル８は、第１補強板１００−第３補強板１２０を前面パネル７及び吹出パネル８の第１当接面１０−第３当接面１２に位置決めするための複数の第１位置決め部１３−１５及び複数の第２位置決め部１６−１８を有している。これら第１位置決め部１３−１５及び第２位置決め部１６−１８は、所定の当接面に取り付けられる補強板とは異なる補強板が当該所定の当接面に位置決めされないように構成される。以下、第１位置決め部１３−１５及び第２位置決め部１６−１８について具体的に説明する。
【００８０】
第１位置決め部１３−１５は、図２０に示すように、前面パネル７の裏面７Ｒ及び吹出パネル８の裏面８Ｒから背面側に突出した円筒形の突起であり、２つの突起で１つの位置決め部を形成する。第１位置決め部１３−１５は、図１８に示すように、それぞれ第１当接面１０−第３当接面１２の長手方向中央部近傍に設けられる。また、第１補強板１００−第３補強板１２０のうち第１位置決め部１３−１５の各２つの突起にそれぞれ対応した位置には、２つの突起に挿入される２つの孔からなる位置決め孔１３１−１３３（図１７参照）が形成されている。そして、各孔１３１−１３３がそれぞれ第１位置決め部１３−１５に位置決めされることにより、第１補強板１００−第３補強板１２０が第１当接面１０−第３当接面１２に位置決めされる。なお、各孔１３１−１３３の孔径は、第１位置決め部１３−１５の突起の外径と略同じ、又はそれより僅かに大きくされている。また、各孔１３１−１３３の孔径は互いに略同じであり、第１位置決め部１３−１５の突起の外径も互いに略同じである。
【００８１】
ここで、図２０に示すように、位置決め部１３の２つの突起の配置間隔Ｃ１、位置決め部１４の２つの突起の配置間隔Ｃ２、及び位置決め部１５の２つの突起の配置間隔Ｃ３は、互いに異なっている。その結果、第１位置決め部１３−１５は、所定の当接面に取り付けられる補強板とは異なる補強板が当該所定の当接面に位置決めされないようにされている。
【００８２】
第２位置決め部１６−１８は、図１８に示すように、前面パネル７の裏面７Ｒ及び吹出パネル８の裏面８Ｒから背面側に突出したリブであり、各当接面の長手方向端部に２つずつの合計４つのリブで１つの位置決め部を形成する。第１補強板１００−第３補強板１２０のうち第２位置決め部１６−１８の各リブに対応した位置には、４つのリブに係合する４つの切欠きからなる切欠き部１３４−１３６が形成されている。
【００８３】
ここで、図１８に示すように、長手方向（左右方向）において、第２位置決め部１６−１８の配置位置が互いに異なっている。その結果、第２位置決め部１６−１８は、所定の当接面に取り付けられる補強板とは異なる補強板が当該所定の当接面に位置決めされないようにされている。
【００８４】
（目印）
第１補強板１００−第３補強板１２０のそれぞれには、図１５−図１７に示すように、第１補強板１００−第３補強板１２０を識別するための目視可能な第１目印１４１−１４３が設けられている。目印１４１は、１つの孔からなり、目印１４２は隣接する２つの孔からなり、目印１４３は隣接する３つの孔からなる。
【００８５】
また、第１補強板１００−第３補強板１２０のそれぞれには、図２０に示すように、各補強板の上下の向きを識別するための目視可能な第２目印１４４−１４６が設けられている。第２目印１４４−１４６は、各補強板に設けられた窪みであり、各補強板の高さ方向中央部より下側に設けられている。なお、３つの第２目印１４４−１４６（窪み）の形状は全て同じである。
【００８６】
［駆動機構］
駆動機構９は、前面パネル７を前面グリル６の前面３１から離れるように略水平方向前方に移動させるとともに、前面パネル７が略水平方向前方に移動した状態において前面パネル７と前面グリル６の間の隙間に吹出パネル８を移動させる機構であり、図４に示すように、駆動機４１と開閉機構６１とを備えている。
【００８７】
駆動機４１は、図４に示すように、室内熱交換器２０及びファン２１の正面視における右側方に配置されており、前面パネル７及び吹出パネル８を移動させるための駆動力を発生させる。この駆動機４１は、駆動モータ４３（図６参照）と、図示しない複数の駆動機ギアを有している。駆動モータ４３は、電装品箱４０に収容される制御部６０とケーブルによって接続され、前面パネル７及び吹出パネル８を移動させる駆動源となる。複数の駆動機ギアは、開閉機構６１の図示しない動力伝達ギアと噛み合うように配置されており、駆動モータ４３の回転を開閉機構６１の動力伝達ギアに伝達して、開閉機構６１に駆動モータ４３の駆動力を伝達する。
【００８８】
開閉機構６１は、駆動機４１の駆動力によって前面パネル７及び吹出パネル８を移動させて第２吸込口２６および吹出口２７を開閉するための機構である。開閉機構６１は、ギア部を含む複数の部材によって構成されており、駆動機４１の駆動力を前面パネル７及び吹出パネル８に伝達する減速機構として機能する。また、開閉機構６１は、駆動機４１から伝わる回転運動を前面パネル７及び吹出パネル８の開閉動作に変換する変換機構として機能する。図４に示すように、開閉機構６１は、前面グリル６の左側方に設けられた第１開閉機構６２と、前面グリル６の右側方に設けられた第２開閉機構６３とを有する。第１開閉機構６２と第２開閉機構６３は、図示しない動力伝達軸によって接続されている。
【００８９】
第１開閉機構６２は、前面パネル７の裏面７Ｒ及び吹出パネル８の裏面８Ｒの左側にそれぞれ取り付けられた接続機構４４Ｌ、４５Ｌに取り付けられており、前面パネル７及び吹出パネル８の左側端近傍を支持する。第１開閉機構６２は、前面パネル７や吹出パネル８の開閉時に、駆動機４１の駆動力を前面パネル７の左側端近傍や吹出パネル８の左側端近傍に伝え、前面パネル７や吹出パネル８の左側を移動させる。
【００９０】
第２開閉機構６３は、前面パネル７の裏面７Ｒ及び吹出パネル８の裏面８Ｒの右側にそれぞれ取り付けられた接続機構４４Ｒ、４５Ｒに取り付けられており、前面パネル７及び吹出パネル８の右側端近傍を支持する。第２開閉機構６３は、前面パネル７や吹出パネル８の開閉時に、駆動機４１の駆動力を前面パネル７の右側端近傍と吹出パネル８の右側端近傍に伝え、前面パネル７や吹出パネル８の右側を移動させる。
【００９１】
図示しない動力伝達軸は、駆動機４１の駆動力を第１開閉機構６２および第２開閉機構６３へと分配して伝達する部材であり、前面グリル６の前面３１の裏面に、室内機１の長手方向に平行な軸を中心に回転自在に取り付けられている。動力伝達軸の両端はそれぞれ第１開閉機構６２および第２開閉機構６３に接続されており、その間に図示しない動力伝達ギアが設けられている。動力伝達ギアは、駆動機４１の駆動機ギアと噛み合うように配置されている。このように、開閉機構６１は、動力伝達軸によって、駆動機４１からの駆動力を第１開閉機構６２および第２開閉機構６３へと分配するように構成されている。
【００９２】
以下、第１開閉機構６２の構成について簡単に説明するが、第２開閉機構６３は第１開閉機構６２と左右対称の同様の構造を有しているためその説明を省略する。第１開閉機構６２は、図２１に示すように、前面パネル開閉ギア６４、吹出パネル開閉ギア６５、前面パネル支持部材６６、吹出パネル支持部材６７、伝達ギア６８を有している。
【００９３】
前面パネル開閉ギア６４は、動力伝達軸を介して伝達される駆動機４１からの駆動力を前面パネル支持部材６６に伝達する。この前面パネル支持部材６６は、前後方向（略水平方向）に移動可能に設けられており、前面パネル７を前後方向に直線的に移動させることができる。
【００９４】
伝達ギア６８は、動力伝達軸を介して伝達される駆動機４１からの駆動力を吹出パネル開閉ギア６５に伝達し、吹出パネル開閉ギア６５は、駆動力を吹出パネル支持部材６７に伝達する。この吹出パネル支持部材６７は、上下方向に移動可能に設けられており、吹出パネル８を上下方向に直線的に移動させることができる。伝達ギア６８には、部分的に歯が形成されていない部分が設けられており、駆動機４１が駆動されて、前面パネル支持部材６６の前方への移動が完了するまでは、伝達ギア６８の回転が吹出パネル開閉ギア６５に伝達されないようになっている。前面パネル支持部材６６の前方への移動が完了した後に、伝達ギア６８と吹出パネル開閉ギア６５が噛み合い、吹出パネル支持部材６７は上方向への移動が可能となる。
【００９５】
［運転開始時の前面パネル及び吹出パネルの動作］
次に、図２２を参照しつつ運転開始時の前面パネル７及び吹出パネル８の動作を説明する。
【００９６】
図２２（ａ）に示すように、室内機１が運転を停止している場合、前面パネル７及び吹出パネル８によって、第２吸込口２６と吹出口２７とが閉じられた状態となっている。室内機１が運転を停止している場合、前面パネル７の前面７Ｆ及び吹出パネル８の前面８Ｆは、側面視において上下に略面一となっている。なお、この状態では、開閉機構６１の前面パネル支持部材６６は、可動範囲の最も後方に位置している。また、吹出パネル支持部材６７は、可動範囲の最も下方に位置している。
【００９７】
室内機１の運転が開始されると、駆動機４１の駆動モータ４３が制御されて回転を始める。そして、駆動機４１の駆動力が開閉機構６１の図示しない動力伝達軸に伝達され、駆動力が開閉機構６１の第１開閉機構６２と第２開閉機構６３とに分配されて伝達される。そして、第１開閉機構６２と第２開閉機構６３とによって、前面パネル７及び吹出パネル８が移動して、第２吸込口２６及び吹出口２７が開かれる。
【００９８】
具体的には、開閉機構６１では、駆動機４１の駆動力が複数の前面パネル開閉ギア６４を介して前面パネル支持部材６６へと伝達される。その結果、前面パネル支持部材６６は、略水平方向前方へと直線的に移動する。これにより、図２２（ｂ）に示すように、前面パネル７は、前方に略水平移動して第２吸込口２６を開く。
【００９９】
図２２（ｂ）に示すように、前面パネル支持部材６６が、可動範囲の最も前方に位置した状態になると、駆動機４１の駆動力が伝達ギア６８及び吹出パネル開閉ギア６５を介して吹出パネル支持部材６７へと伝達される。これにより、図２２（ｃ）に示すように、吹出パネル８は、前面パネル７と前面グリル６との間の隙間に移動して、吹出口２７を開く。なお、吹出パネル支持部材６７が、可動範囲の最も上方に位置した状態では、吹出パネル８は、前面パネル７の後方に隠れる。すなわち、吹出パネル８の略全体が、前面パネル７に重なった状態となり、図２（ａ）に示すように、正面視において吹出パネル８が見えない状態となる。
【０１００】
そして、ファン２１の駆動によって、第１吸込口２３及び第２吸込口２６から室内空気が室内機１の内部に吸い込まれて、室内熱交換器２０で熱交換され、熱交換された空気が吹出口２７から吹き出される。
【０１０１】
また、室内機１の運転停止時には、駆動機４１の駆動モータ４３が逆方向に回転するように制御され、吹出パネル支持部材６７、前面パネル支持部材６６の順に、吹出パネル支持部材６７と前面パネル支持部材６６とが上記と逆方向へと移動する。これにより、前面パネル７及び吹出パネル８が上記と逆に移動し、前面パネル７及び吹出パネル８は室内機１の停止時の状態に戻る。
【０１０２】
＜本実施形態の室内機の特徴＞
本実施形態の室内機１では、前面パネル７の裏面７Ｒに取り付けられた第１補強板１００及び第２補強板１１０が、前面パネル７の裏面７Ｒに当接するように長手方向及び高さ方向に湾曲する第１湾曲面１０１及び第２湾曲面１１１を有しているので、前面パネル７の裏面７Ｒと第１補強板１００及び第２補強板１１０との間に隙間が生じるのを防止できる。したがって、前面パネル７が変形するのを防止できる。
【０１０３】
また、本実施形態の室内機１では、前面パネル７の裏面７Ｒのうち第１補強板１００の第１湾曲面１０１と当接する第１当接面１０の形状が当該第１当接面１０の高さ方向中央に対して非対称である場合に、第１補強板１００が前面パネル７の裏面７Ｒに当接するように長手方向及び高さ方向に湾曲する第１湾曲面１０１を有している。そのため、第１補強板１００の上下の向きを正常の向きと逆にして第１補強板１００を前面パネル７に取り付けようとしても、第１補強板１００の第１湾曲面１０１の形状と前面パネル７の第１当接面１０の形状とが一致しないので、第１補強板１００を前面パネル７の第１当接面１０に取り付けることができないようになっている。したがって、第１補強板１００の上下の向きが正常の向きが逆の状態で第１補強板１００が前面パネル７に取り付けられて、前面パネル７の裏面７Ｒと第１補強板１００の第１湾曲面１０１との間に隙間が生じてしまうのを防止できる。なお、前面パネル７の裏面７Ｒに取り付けられる第２補強板１１０、及び吹出パネル８の裏面８Ｒに取り付けられる第３補強板１２０についても上記と同様の効果が得られる。
【０１０４】
また、本実施形態の室内機１では、前面パネル７の長手方向に沿って延在した複数の補強板（第１補強板１００及び第２補強板１１０）を有するので、前面パネル７の変形を防止しやすい。
【０１０５】
また、本実施形態の室内機１では、複数の補強板（第１補強板１００及び第２補強板１１０）が、前面パネル７の高さ方向中央から等距離に配置されるので、効率よく前面パネル７の変形を防止できる。
【０１０６】
また、本実施形態の室内機１では、前面パネル７の裏面７Ｒのうち第１補強板１００及び第２補強板１１０の第１湾曲面１０１及び第２湾曲面１１１と当接する第１当接面１０及び第２当接面１１の形状が互いに異なるので、所定の当接面に取り付けられる補強板とは異なる補強板が当該所定の当接面に取り付けられない。したがって、所定の当接面に取り付けられる補強板とは異なる補強板が当該所定の当接面に取り付けられて、前面パネルの裏面と補強板の湾曲面との間に隙間が生じるのを防止できる。
【０１０７】
また、本実施形態の室内機１では、前面パネル７が、所定の当接面に取り付けられる補強板とは異なる補強板が当該所定の当接面に位置決めされないように構成される第１位置決め部１３、１４及び第２位置決め部１６、１７を有するので、所定の当接面に取り付けられる補強板とは異なる補強板が当該所定の当接面に位置決めされない。したがって、補強板の誤取り付けを未然に防止できる。
【０１０８】
また、本実施形態の室内機１では、前面パネル７に複数の補強板を識別するための目視可能な第１目印１４１、１４２が設けられるので、複数の補強板の種類を容易に識別できる。したがって、補強板の誤取り付けを未然に防止できる。
【０１０９】
また、本実施形態の室内機１では、補強板の上下の向きを識別するための目視可能な第２目印１４４、１４５が設けられるので、補強板の上下の向きを容易に識別できる。したがって、補強板の誤取り付けを未然に防止できる。
【０１１０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【０１１１】
上述の実施形態では、前面パネル７の高さ方向（上下方向）の湾曲について、高さ方向の曲率半径が一定ではなく変化する場合について説明したが、高さ方向の曲率半径が一定であってもよい。したがって、上述の実施形態では、前面パネル７は、その裏面７Ｒのうち第１補強板１００の第１湾曲面１０１及び第２補強板１１０の第２湾曲面１１１とそれぞれ当接する第１当接面１０及び第２当接面１１の形状が当該第１当接面１０及び第２当接面１１の高さ方向中央である中央線ＨＬ６及び中央線ＨＬ７に対してそれぞれ非対称であるが、対称であってもよい。
【０１１２】
また、上述の実施形態では、第１補強板１００及び第２補強板１１０が前面パネル７の長手方向に沿って延在する場合について説明したが、第１補強板１００及び第２補強板１１０が前面パネル７の長手方向に沿って延在するものでなくてもよい。
【０１１３】
また、上述の実施形態では、前面パネル７の裏面７Ｒに取り付けられた２つの補強板（第１補強板１００及び第２補強板１１０）を有する場合について説明したが、前面パネル７の裏面７Ｒに取り付けられる補強板は、１つであってもよいし、３つ以上であってもよい。
【０１１４】
また、上述の実施形態では、第１補強板１００及び第２補強板１１０が、前面パネル７の高さ方向中央である中央線ＨＬ３から等距離に配置される場合について説明したが、等距離に配置されなくてもよい。
【０１１５】
また、上述の実施形態では、第１補強板１００及び第２補強板１１０を前面パネル７の第１当接面１０及び第２当接面１１に位置決めするための位置決め部として、前面パネル７が第１位置決め部１３、１４及び第２位置決め部１６、１７を有する場合について説明したが、前面パネル７が第１位置決め部１３、１４及び第２位置決め部１６、１７の少なくとも一方を有していてもよい。また、第１位置決め部１３、１４は、それぞれ前面パネル７の裏面７Ｒから突出した同一形状の２つの突起からなる場合について説明したが、第１位置決め部１３、１４がそれぞれ前面パネル７の裏面７Ｒから突出した１つの突起からなり、この突起の形状が異なるものであってもよい。
【０１１６】
また、上述の実施形態では、第１補強板１００の第１湾曲面１０１に当接する第１当接面１０及び第２補強板１１０の第２湾曲面１１１に当接する第２当接面１１の両方に位置決め部が設けられる場合について説明したが、第１当接面１０及び第２当接面１１の一方（所定の当接面）にのみ位置決め部がある場合であっても、同様の効果が得られる。
【０１１７】
また、上述の実施形態では、前面パネル７は、その裏面７Ｒのうち第１補強板１００及び第２補強板１１０の第１湾曲面１０１及び第２湾曲面１１１と当接する第１当接面１０及び第２当接面１１の形状が互いに異なる場合について説明したが、同じであってもよい。
【０１１８】
また、上述の実施形態では、第１補強板１００及び第２補強板１１０に補強板を識別するための目視可能な第１目印１４１、１４２が設けられる場合について説明したが、第１目印１４１、１４２の少なくとも一方だけあってもよいし、第１目印１４１、１４２はなくてもよい。
【０１１９】
また、上述の実施形態では、第１補強板１００及び第２補強板１１０の高さ方向中央部の下側に、当該第１補強板１００及び第２補強板１１０の上下の向きを識別するための目視可能な第２目印１４４、１４５が設けられる場合について説明したが、第２目印１４４、１４５の少なくとも一方だけあってもよいし、第２目印が補強板の高さ方向中央部の上側にあってもよいし、第２目印はなくてもよい。
【産業上の利用可能性】
【０１２０】
本発明を利用すれば、前面パネルの中央部が前方に膨出するように長手方向及び高さ方向に湾曲した前面パネルにおいて、前面パネルが変形するのを防止できる。
【符号の説明】
【０１２１】
１  室内機
５  ケーシング
７  前面パネル
７Ｒ  裏面
１０、１１  当接面
１３、１４  第１位置決め部
１６、１７  第２位置決め部
３１  前面（ケーシングの前面）
１００、１１０  補強板
１０１、１１１  湾曲面
１４１、１４２  第１目印
１４４、１４５  第２目印
【図１】
2015124977.tif 000003
【図２】
2015124977.tif 000004
【図３】
2015124977.tif 000005
【図４】
2015124977.tif 000006
【図５】
2015124977.tif 000007
【図６】
2015124977.tif 000008
【図７】
2015124977.tif 000009
【図８】
2015124977.tif 000010
【図９】
2015124977.tif 000011
【図１０】
2015124977.tif 000012
【図１１】
2015124977.tif 000013
【図１２】
2015124977.tif 000014
【図１３】
2015124977.tif 000015
【図１４】
2015124977.tif 000016
【図１５】
2015124977.tif 000017
【図１６】
2015124977.tif 000018
【図１７】
2015124977.tif 000019
【図１８】
2015124977.tif 000020
【図１９】
2015124977.tif 000021
【図２０】
2015124977.tif 000022
【図２１】
2015124977.tif 000023
【図２２】
2015124977.tif 000024